(57)【要約】【課題】実施形態は、高度ＢＳデジタル放送／高度広帯域ＣＳデジタル放送を限定受信機構の下で適切に受信する電子機器及び受信方法を提供する。【解決手段】実施形態の電子機器は、信号処理手段と、制御手段と、を具備する。前記信号処理手段は、受信した放送をデコードして映像および音声／音響を再生する。前記制御手段は、限定受信機構の下で受信する放送に対する許諾条件を保持した媒体に設定条件コマンドを送信し、前記媒体からの前記設定条件コマンドに対する応答信号に基づいて前記信号処理手段の受信設定を設定する。【選択図】図３
2019024152.tif 000002
【特許請求の範囲】
【請求項１】
受信した放送をデコードして映像および音声／音響を再生する信号処理部と、
限定受信機構の下で受信する放送に対する許諾条件を保持した媒体に設定条件コマンドを送信し、前記媒体からの前記設定条件コマンドに対する応答信号に基づいて前記信号処理部の受信設定を設定する制御部と、
を備える電子機器。
【請求項２】
前記制御部が前記媒体に送信する前記設定条件コマンドは、限定受信機構が規定する第１の動作モードに対応するコマンドもしくは限定受信機構が規定する第２の動作モードに対応するコマンドの何れかを含む請求項１記載の電子機器。
【請求項３】
前記制御部は、前記媒体から受け取った前記設定条件コマンドに対する応答信号が想定した動作モードとは異なる動作モードに対応する場合、前記信号処理部の受信設定を前記媒体から受け取った動作モードが属する動作モードに設定する請求項２記載の電子機器。
【請求項４】
前記制御部は、前記媒体から受け取った前記設定条件コマンドに対する応答信号が想定した動作モードとは異なる動作モードに対応する場合、前記媒体が異なる動作モードに対応していることを報知する請求項２記載の電子機器。
【請求項５】
前記映像を表示する表示部をさらに備える請求項１−４の何れかに記載の電子機器。
【請求項６】
限定受信機構の下で受信する放送に対する許諾条件を保持した媒体に設定条件コマンドを送信し、
媒体からの設定条件コマンドに対する応答信号を受信し、
受信した応答信号に基づいて動作モードを設定する
受信方法。
【発明の詳細な説明】
【技術分野】
【０００１】
この発明は、電子機器及び受信方法に関する。
【背景技術】
【０００２】
例えば、テレビジョン放送を受信して映像および音声／音響を再生する受信装置のような電子機器においては、著作権保護のために、ＣＡＳ（Conditional Access System）と呼ばれる限定受信機構が採用されている。
【先行技術文献】
【特許文献】
【０００３】
【特許文献１】特開２０１１−７７９２９号公報
【発明の概要】
【発明が解決しようとする課題】
【０００４】
限定受信機構（ＣＡＳ）は、地上デジタル放送／ＢＳデジタル放送／１１０度ＣＳデジタル放送（以降これらをまとめて３波と呼ぶ）のそれぞれにおいて、著作権保護のために利用される。
【０００５】
本放送に向けて準備が進められている高度ＢＳデジタル放送／高度広帯域ＣＳデジタル放送についても著作権保護のための管理機構が用意される。高度ＢＳデジタル放送／高度広帯域ＣＳデジタル放送に対する著作権保護のための管理機構をＡＣＡＳ（新ＣＡＳ）と呼称する。
【０００６】
ＡＣＡＳは、現行のＣＡＳ（Ｂ−ＣＡＳ）にも対応することが制定されている。このため、受信装置のＡＣＡＳ処理部との間で利用者情報（鍵）の受け渡しに利用される媒体としては、現行のＢ−ＣＡＳカードと物理的な特性において互換性のあるカード状の媒体が候補の１つとなっている。
【０００７】
この発明の目的は、高度ＢＳデジタル放送／高度広帯域ＣＳデジタル放送を限定受信機構の下で適切に受信する電子機器及び受信方法を提供することである。
【課題を解決するための手段】
【０００８】
実施形態の電子機器は、信号処理手段と、制御手段と、を具備する。前記信号処理手段は、受信した放送をデコードして映像および音声／音響を再生する。前記制御手段は、限定受信機構の下で受信する放送に対する許諾条件を保持した媒体に設定条件コマンドを送信し、前記媒体からの前記設定条件コマンドに対する応答信号に基づいて前記信号処理手段の受信設定を設定する。
【図面の簡単な説明】
【０００９】
【図１】実施形態の電子機器（テレビジョン放送受信装置）の要部の一例を示す概略図。
【図２】実施形態の電子機器がＣＡＳ媒体を認識するためのコマンドの構造の一例を示す概略図。
【図３】実施形態の電子機器がＣＡＳ媒体を、ＡＣＡＳと判定するルーチンの一例を示す概略図。
【図４】実施形態の電子機器がＣＡＳ媒体を、ＡＣＡＳと判定するルーチンの一例を示す概略図。
【図５】実施形態の電子機器がＣＡＳ媒体を、Ｂ−ＣＡＳと判定するルーチンの一例を示す概略図。
【図６】実施形態の電子機器がＣＡＳ媒体を、Ｂ−ＣＡＳと判定するルーチンの一例を示す概略図。
【図７】実施形態の電子機器がＣＡＳ媒体を、ＡＣＡＳと判定するルーチンの一例を示す概略図。
【図８】実施形態の電子機器がＣＡＳ媒体を、ＡＣＡＳと判定するルーチンの一例を示す概略図。
【図９】実施形態の電子機器がＣＡＳ媒体を、ＡＣＡＳと判定するルーチンの一例を示す概略図。
【発明を実施するための形態】
【００１０】
以下、図面を参照して、実施の一形態について説明する。
【００１１】
図１は、実施形態に係わる電子機器、例えばテレビジョン放送受信装置（テレビジョン装置と称する場合もある）の要部を説明する概略ブロック図である。
【００１２】
図１が示すテレビジョン装置１は、空間波を用いる信号伝送（放送と称する場合もある）やネットワークを経由した配信により供給される番組（コンテンツと称する場合もある）のうちの視聴者（ユーザー）が選択した番組を受信して再生する。なお、番組の取得は、例えばコンテンツサーバ（番組提供元と称する場合もある）へのアクセス（参照と選択的な取得（ダウンロードと称する場合もある））等であってもよい。また、以下に説明する個々の要素や構成は、マイクロコンピュータ（処理装置、ＣＰＵ（Central Processing Unit））によりソフトウェアで実現するものであってもよいし、ハードウェアで実現するものであってもよい。なお、番組は、ストリームあるいは情報と称する場合もあり、映像及び映像に付属する音声あるいは音楽、等からなる。また、映像は、動画と静止画あるいはテキスト（コード化された符号列で示される文字や記号等で表される情報）ならびにその任意の組み合わせを含む。
【００１３】
テレビジョン装置１は、第１受信処理部１１、第２受信処理部１２、信号処理部（ＤＳＰ）１３、制御部１４、出力映像処理部１５、出力音響処理部１６、等を含む。第１受信処理部１１および第２受信処理部１２には、それぞれ、入力端子１１１および入力端子１１２が接続する。出力映像処理部１５および出力音響処理部１６には、それぞれ、映像を表示する映像表示部（ディスプレイ）１２１および再生音響（音声）を出力する音響再生部（スピーカ）１２２が接続する。
【００１４】
第１受信処理部１１は、チューナ１１ａ、ＰＳＫ（Phase Shift Keying）復調器１１ｂおよびＴＳ（Transport Stream／トランスポートストリーム）復号器１１ｃを含む。
【００１５】
チューナ１１ａは、制御部１４による制御に基づいて、入力端子１１１と接続する衛星放送向けアンテナ１２３が同調するＢＳ（Broadcasting Satellite）あるいはＣＳ（Communication Satellite）からの放送波すなわちＢＳ／ＣＳデジタル放送を受信する。
【００１６】
ＰＳＫ復調器１１ｂは、制御部１４による制御に基づいて、チューナ１１ａが選局した放送信号を復調し、所望の番組を含んだＴＳを抽出して、ＴＳ復号器１１ｃに出力する。
【００１７】
ＴＳ復号器１１ｃは、制御部１４による制御に基づいて、多重化されているＴＳを復号し、所望の番組のデジタルの映像信号および音声信号をデパケットする。ＴＳ復号器１１ｃはまた、デパケットして得たＰＥＳ（Packetized Elementary Stream）を信号処理部１３内の図示しないＳＴＤ（System Target Decoder）バッファへ出力する。ＴＳ復号器１１ｃはさらに、放送信号が含むセクション情報を信号処理部１３内の図示しないセクション処理部へ出力する。
【００１８】
第２受信処理部１２は、チューナ１２ａ、ＯＦＤＭ（Orthogonal Frequency Division Multiplexing）復調器１２ｂおよびＴＳ復号器１２ｃを含む。
【００１９】
チューナ１２ａは、制御部１４による制御に基づいて、入力端子１１２と接続する地上デジタル放送受信用のアンテナ１２４が同調する地表波の放送波であって、いわゆる地上デジタル放送を受信する。
【００２０】
ＯＦＤＭ復調器１２ｂは、制御部１４による制御に基づいて、チューナ１２ａが選局したチャンネルの放送信号を復調し、所望の番組を含んだＴＳを抽出して、ＴＳ復号器１２ｃに出力する。
【００２１】
ＴＳ復号器１２ｃは、制御部１４による制御に基づいて、多重化されているＴＳを復号し、所望の番組のデジタルの映像信号および音声信号をデパケットする。ＴＳ復号器１２ｃはまた、デパケットして得たＰＥＳを信号処理部１３内の図示しないＳＴＤバッファへ出力する。また、ＴＳ復号器１２ｃは、放送信号が含むセクション情報を信号処理部１３内の図示しないセクション処理部へ出力する。
【００２２】
なお、第１の受信部処理部１１が受信するＢＳ／ＣＳデジタル放送および第２の受信部処理部１２が受信する地上デジタル放送は、ＣＡＳ（Conditional Access System／限定受信）のうちの現行のＢ−ＣＡＳにより著作権保護の対応がとられている。
【００２３】
信号処理部１３が含む図示しないセクション処理部は、ＴＳ復号器１１ｃまたは１２ｃからのセクション情報の中から、任意の番組を受信（取得）するためのさまざまなデータを、起動処理時もしくは所定のタイミングで、制御部１４へ出力する。データの１つは、ＣＡＳによるスクランブルを解除するデスクランブルのための鍵（利用者情報）情報およびＣＡＳカード（モジュール）が保持する所定の情報（例えば受信許諾情報）を含む。データの別の１つは、電子番組ガイド（ＥＰＧ（Electronic Program Guide））情報や番組ジャンル等に関する番組属性情報、字幕情報等を含むサービス情報ＳＩ（Service Information）、等を含む。ＳＩは、ＴＳが含む符号化された画像データや音声データのそれぞれであるＥＳ（Elementary Stream）がどのプログラムに属しているかを記した情報であるＰＳＩ（Program Specific Information））を含む。なお、上述の記載は、セクション処理部と制御部１４との間のＣＡＳデスクランブル用の鍵情報等のデータやＥＰＧ情報、番組属性情報あるいは字幕情報、等を含むＳＩやＰＳＩの受け渡しに関するものであり、制御部１４がセクション処理部から、さまざまなデータを所定のタイミングで読み取る、と表現される場合もある。
【００２４】
信号処理部１３は、受信中（現在放送中）の番組の視聴時には、ＴＳ復号器１１ｃまたはＴＳ復号器１２ｃが出力する映像信号および音声信号に対して選択的に所定のデジタル信号処理を施し、出力映像処理部１５のグラフィック処理部１５ａおよび出力音声処理部１６の音声処理部１６ａに出力する。
【００２５】
信号処理部１３は、受信中の番組を録画する場合は、ＴＳ復号器１１ｃまたはＴＳ復号器１２ｃが出力する映像信号および音声信号に対して選択的に所定のデジタル信号処理を施した記録信号を、制御部１４の制御に基づいて、制御部１４の入出力部１１４を通じて接続する記憶部（例えばＨＤＤ（Hard Disk Drive））１２７に記億する。信号処理部１３は、録画済の番組を再生する場合は、制御部１４の制御に基づいて、制御部１４を介して記憶部１２７から読み出した録画済番組のデータに所定のデジタル信号処理を施し、グラフィック処理部１５ａおよび音声処理部１６ａに出力する。
【００２６】
信号処理部１３はまた、入力端子１１３ａ、１１３ｂまたは１１３ｃを通じてさまざまな外部装置からの外部入力信号を受けつける。外部装置としては、例えばＳＴＢ（Set Top Box（外部チューナと称する場合もある））、映像記録再生装置（レコーダと称する場合もある）、映像再生装置（プレーヤと称する場合もある）もしくはビデオカメラ装置等、任意である。特に、ビデオカメラ装置は、カメラ装置としての形態に支配されるものではなく、画像撮影が可能な携帯可能な端末装置、例えばタブレットＰＣ（Personal Computer）装置やスマートフォン、等であってもよい。信号処理部１３はまた、入力端子１１３ａ、１１３ｂまたは１１３ｃから入力するデジタル（またはアナログ）の映像信号及び音声信号をデコードし、ユーザーの要求に基づいて高画質化・高音質化処理する。なお、入力端子１１３ａ、１１３ｂまたは１１３ｃから入力する入力信号がアナログ信号である場合は、図示しないＡ−Ｄ（Analog to Digital）変換回路を介してＡ−Ｄ変換する。
【００２７】
制御部１４は、ＭＰＵ（Micro Processing Unit）もしくはＣＰＵ（Central Processing Unit）等の処理回路要素（process circuitry）を含み、テレビジョン装置１の各部の動作を制御する。制御部１４はまた、ＲＯＭ（Read Only Memory）１４ａ、ＲＡＭ（Randam Accesses Memory）１４ｂ、不揮発性メモリ（ＮＶＭ）１４ｃ、判定部（ＣＡＳ判定部）１４ｄおよび限定受信処理部１４ｅ、等を含む。
【００２８】
制御部１４は、例えば電源投入時（リモコン１２５によるユーザー操作入力時）、ＲＯＭ１４ａが保持する起動処理用プログラムをＲＡＭ１４ｂ上で動作させ、所定のイニシャル動作（起動処理）を実行する。また、制御部１４は、ＲＯＭ２２が保持する制御プログラムに従い動作するＣＰＵ２１の制御に基づいてＲＡＭ２３をワークメモリとして所定の処理を実行する。ＮＶＭ２４は、各種の設定情報や制御情報等を保持する。
【００２９】
制御部１４はまた、番組録画および番組予約録画を制御する。制御部１４は、番組録画予約受付時には、ディスプレイ１２１にＥＰＧ情報を表示するための表示信号をグラフィック処理部１５ａに出力する。制御部１４はまた、リモートコントローラ１４１あるいは操作部１２５からの操作入力（ユーザー指示）に基づく予約内容を、所定の記憶手段（例えばＮＶＭ１４ｃ）に設定（格納）する。
【００３０】
制御部１４は、設定された時刻が近づくと、設定された時刻に予約されている番組を録画するよう第１受信処理部１１（チューナ１１ａ、ＰＳＫ復調器１１ｂ、ＴＳ復号器１１ｃ）または第２受信処理部１２（チューナ１２ａ、ＯＦＤＭ復調器１２ｂ、ＴＳ復号器１２ｃ）および信号処理部１３を制御する。
【００３１】
制御部１４はまた、通信Ｉ／Ｆ（Inter Face）１３１を介してＬＡＮ端子１３２と接続し、ＬＡＮ端子１３２と接続する任意のＬＡＮ対応の機器との間で、情報の受け渡しを行う。通信Ｉ／Ｆ１３１は、例えばＷｉＦｉ（Wireless Fidelity）規格等に準拠する近距離無線通信機器との間の無線通信を実現する。近距離無線通信規格としては、例えばブルートゥース（登録商標）規格やＮＦＣ（Near Field Communication）等も利用可能である。通信Ｉ／Ｆ１３１はまた、例えばタブレット端末（スマートフォンや携帯可能なＰＣ（パーソナルコンピュータ））との間で、直接通信を行うことができる。
【００３２】
制御部１４はさらに、ＵＳＢ（Universal Serial Bus）規格に準拠するＵＳＢ  Ｉ／Ｆ１３３を介してＵＳＢ端子１３４と接続し、ＵＳＢ端子１３４と接続するＵＳＢ規格の下で動作する各種ＵＳＢ機器（例えばＵＳＢ接続のＨＤＤやメモリカード）との間で、情報の受け渡しを行う。
【００３３】
また、制御部１４は、High-definition Digital Media Interface（ハイディフィニションデジタルメディアインタフェース（以下ＨＤＭＩ（登録商標）と略称する））規格に準拠するＨＤＭＩ処理部１３５を介してＨＤＭＩ端子１３６と接続する。これにより制御部１４は、ＨＤＭＩ端子１３６と接続する任意のＨＤＭＩ対応機器との間の情報（映像信号、オーディオ信号及び制御信号）の受け渡しが可能である。例えば、スピーカ１２２と独立に（あるいはスピーカ１２２と併用または切り換え可能に）、ＨＤＭＩ処理部１３５経由で音響信号（Audio）を受け取ることができる音響再生装置がＨＤＭＩ端子１３６と接続された場合、音響再生装置が提供する音場や再生条件で音響および音声が再生できる。
【００３４】
制御部１４はまた、ＣＡＳ処理部１３７によりＣＡＳカード（モジュールもしくは媒体と称する場合もある）１５１またはＣＡＳカード（２）１６１との間で情報の受け渡しが可能なカードホルダ１３８と接続する。ＣＡＳカード１５１またはＣＡＳカード（２）１６１のそれぞれは、例えば５４ｍｍ×８５ｍｍの現行のＢ−ＣＡＳカードと物理的な特性において互換性のある同一の形状のカード状である。また、カードスロット１３８は、物理的な特性面において現行のＢ−ＣＡＳカードに準じているカード状の媒体との間で情報の受け渡しが可能である。制御部１４は、カードホルダ１３８を通じて、カードホルダ１３８に挿入されるＣＡＳカード１５１またはＣＡＳカード（２）１６１から情報を受け取る。ＣＡＳ処理部１３７がカードホルダ１３８および第２のカードホルダ１３８ａの両者と接続可能で、第２のカードホルダ１３８ａも接続している場合、ＣＡＳカード１５１とＣＡＳカード（２）１６１とを同時に利用できる。その場合、どちらのカードホルダにもＣＡＳカード１５１またはＣＡＳカード（２）１６１が挿入可能であるが、カードホルダ１３８および第２のカードホルダ１３８ａの少なくとも一方は、いずれかのＣＡＳカードにのみ対応する場合がある（カードホルダ１３８および第２のカードホルダ１３８ａのそれぞれが全てのＣＡＳカードに対応しない場合がある）。なお、以降において、ＣＡＳカード１５１が現行のＣＡＳ（Ｂ−ＣＡＳ）に対応するＢ−ＣＡＳカードで、ＣＡＳモジカード（２）１６１が高度ＢＳデジタル放送／高度広帯域ＣＳデジタル放送に対する著作権保護に対応したＡＣＡＳカードである、として説明する。
【００３５】
制御部１４は、判定部１４ｄによる判定結果に基づいて、Ｂ−ＣＡＳカードによる３波の受信が許可されているか、ＡＣＡＳカードによる高度ＢＳデジタル放送／高度広帯域ＣＳデジタル放送と３波の受信が許可されているか、を判定する。
【００３６】
制御部１４はまた、起動処理時もしくは所定のタイミングで、ＣＡＳデスクランブル用の鍵（利用者）情報等の各種データやＥＰＧ情報、番組属性情報、字幕情報等を含むＳＩやＰＳＩを信号処理部１３から取得する。制御部１４はまた、信号処理部１３から取得した情報のうちのＥＰＧや字幕について、それらを表示するため画像生成処理を行い、生成したＥＰＧや字幕に対応する画像情報を、出力映像処理部１５のグラフィック処理部１５ａへ出力する。なお、制御部１４は、ＣＡＳデスクランブル用の鍵（利用者）情報を受け取ることによりＣＡＳ処理部１３７（カードホルダ１３８）からの受信許諾情報との整合性を判定する。その際、ＣＡＳ処理部１３７の他に受信許諾情報を提供している要素（機構）または入力があるか否かを検出し、その要素または入力がある場合、そのＣＡＳ情報（受信許諾情報）についても整合性を判定する。
【００３７】
制御部１４はさらに、ＭＰＵ（ＣＰＵ）のファームウェア、あるいはネットワークを通じて取得可能なアプリケーション（プログラム）として、ＤＨＣＰ（Dynamic Host Configuration Protocol）サーバ機能を有することができる。ＤＨＣＰサーバ機能を有する場合は、ＬＡＮ（Local Area network）対応の外部機器、例えばデジタルリビングネットワークアライアンス（Digital Living Network Alliance（ＤＬＮＡ（登録商標））規格に準拠する他の機器（別のテレビジョン装置、等）との間で、情報（番組／コンテンツ）の受け渡しが可能である。
【００３８】
グラフィック処理部１５ａは、信号処理部１３内の図示しないＡＶデコーダが出力するVideo（ビデオ）とData（データ）と制御部１４が生成するＥＰＧや字幕に対応する映像信号（ＥＰＧ，字幕）とを合成して映像処理部１５ｂへ出力する。グラフィック処理部１５ａはまた、字幕放送における字幕や放送中の番組中の音声や会話を字幕化して表示するいわゆる生字幕を表示する場合、制御部１４の制御に基づき、映像信号に字幕情報（字幕映像）を重畳する処理を行う。
【００３９】
映像処理部１５ｂは、グラフィック処理部１５ａからのVideoとDataとＥＰＧや字幕情報（字幕映像）に対応する映像信号とを重畳した表示映像信号をディスプレイ１２１もしくは出力端子１１５を介して接続する外部機器が表示可能なフォーマットの実表示信号に変換し、ディスプレイ１２１もしくは出力端子１１５に出力する。映像処理部１５ｂはまた、ユーザー操作（制御入力）に対応する、例えば音量レベルの変更のための音量バー映像や、例えばメニュー選択のためのメニュー画面表示等のＯＳＤ（On Screen Display）処理部１７が生成するＯＳＤ信号をグラフィック処理部１５ａからの表示映像信号にさらに重畳して実表示信号とする。その場合、ＯＳＤ処理部１７が生成するＯＳＤ信号がある場合、実表示信号は、ＯＳＤ信号が一体化された信号に置き換えられる。
【００４０】
音声処理部１６は、信号処理部１３からのデジタルの音声信号をスピーカ１２２で再生可能なフォーマットのアナログ音声信号に変換し、スピーカ１２２もしくは出力端子１１６を介して接続される外部機器、例えば音響再生装置（例えば、多チャンネルスピーカシステム）に出力する。なお、音響再生装置が上述したＨＤＭＩ端子１３６経由で音響信号（Audio）を受け取ることができる場合には、音響再生装置がＨＤＭＩ端子１３６と接続されてもよい。
【００４１】
制御部１４はまた、判定部１４ｄによるＣＡＳカード（モジュール）の判定結果が、ＡＣＡＳ対応である場合、映像コーデックおよび音声（音響）コーデックを、高度ＢＳデジタル放送／高度広帯域ＣＳデジタル放送向けに設定する（テレビジョン装置１の受信機能を自動的に切り替える）。より詳細には、判定部１４ｄがカードホルダ１３８に挿入されているＣＡＳカードがＡＣＡＳであると判定した場合は、限定受信処理部１４ｅが、受信機能を自動的に切り替える。例えば、限定受信処理部１４ｅがファームウェアとして保持しているテーブルに従い、信号処理部１３から出力映像処理部１５に出力する映像信号をデコードするための映像コーデックを、高度ＢＳデジタル放送／高度広帯域ＣＳデジタル放送向けに設定する。また、限定受信処理部１４ｅがファームウェアとして保持しているテーブルに従い、信号処理部１３から出力音声処理部１６に出力する音声（音響）信号をデコードするための音声（音響）コーデックを、高度ＢＳデジタル放送／高度広帯域ＣＳデジタル放送向けに設定する。なお、判定部１４ｄがカードホルダ１３８に挿入されているＣＡＳカードが現行のＢ−ＣＡＳカードであると判定した場合、限定受信処理部１４ｅが映像コーデックおよびまたは音声（音響）コーデックを、３波向けに設定する。
【００４２】
次に、ＣＡＳ（ＡＣＡＳまたはＢ−ＣＡＳ）判定処理について、詳細に説明する。
【００４３】
制御部１４の判定部１４ｄは、図２に一例を示すコマンドを、カードホルダ１３８に挿入されたＣＡＳカードに送信する。図２が示すコマンドは、現行のＢ−ＣＡＳに準拠している。すなわち、制御部１４の判定部１４ｄにおいてＣＡＳカードからのパラメータＰ２の値に対する応答をチェックすることにより、ＣＡＳカードが現行のＢ−ＣＡＳカードであるか、ＡＣＡＳカードであるか、を判定できる。
【００４４】
詳細には、社団法人電波産業会、すなわちＡＲＩＢ（Association of Radio Industries and Businesses）が規定する標準規格のうちのＳＴＤ−Ｂ２５あるいは−Ｂ６１が規定する受信装置とＣＡＳモジュール（ＣＡＳカード）との間のコマンドを用いる。すなわち、ＳＴＤ−Ｂ２５または−Ｂ６１にはさまざまなコマンドが規定されているが、ＴＲ−Ｂ１４、−Ｂ１５もしくは−Ｂ３９、等の運用規定では、図２に示した全コマンドの共通ヘッダ部分のＰ２の値がＢ−ＣＡＳ（現行）とＡＣＡＳ（高度ＢＳ／高度広帯域ＣＳ向け）もしくはＡＣＡＳ（３波向け）でそれぞれ異なる値を適用する規定となっている。従って、Ｐ２の値に基づいて、ＣＡＳモジュールの種別を判定することができる。なお、Ｐ２の値は、Ｂ−ＣＡＳ（現行）では「０ｘ００」、ＡＣＡＳ（高度ＢＳ／高度広帯域ＣＳ向け）では「０ｘ０１」、ＡＣＡＳ（３波向け）では「０ｘ０２」を設定することが規定されている。
【００４５】
一般には、スロット（カードホルダ１３８）にＣＡＳカード（ＣＡＳモジュール）が挿入されることでＣＡＳカードと最初の通信で得られるＡＴＲ応答からＣＡＳカードの性能を判別し、続いて初期条件設定コマンド（ＩＮＴまたはＢＩＮＴ）を発行（送信）するフローとなる。実施形態において、図２におけるＩＮＳ値は「０ｘ３０」であり、Ｐ２の値が「０ｘ００」あるいは［０ｘ０１］の場合はコマンド名を『ＩＮＴ』と呼称し、Ｐ２の値が「０ｘ０２」の場合はコマンド名を『ＢＩＮＴ』と呼称する。
【００４６】
実施形態においては、受信装置（テレビジョン装置１）側からＣＡＳカード（ＣＡＳモジュール）に初期条件設定コマンドを送信し、正常応答が返ったときに送信したコマンドのＰ２の値をもとにＣＡＳモジュールの種別を判定する。従って、受信装置は、ＣＡＳカード（モジュール）としてＡＣＡＳ（カード）が挿入されたときには、高度ＢＳ／高度広帯域ＣＳデジタル放送と３波の両方の受信が可能なモードとして機能する。一方で、Ｂ−ＣＡＳ（カード）が挿入されたときには、受信装置は、３波のみの受信が可能なモードで機能する。
【００４７】
より詳細には、判定部１４ｄは、図３に示すように、ＢＩＮＴ（ＡＣＡＳ向け３波用初期条件設定コマンド）を、カードホルダ１３８に挿入されたＣＡＳカードに送信する［１１］。ＣＡＳカードからの応答（返信）が正常応答である場合、ＣＡＳカードがＡＣＡＳである、と判定部１４ｄが判定する［１２］。
【００４８】
なお、図４に示すように、ＩＮＴ（ＡＣＡＳ向け高度ＢＳ／高度広帯域ＣＳ用初期条件設定コマンド）を判定部１４ｄがカードホルダ１３８に挿入されたＣＡＳカードに送信してもよい［２１］。ＣＡＳカードからの応答（返信）が正常応答である場合、判定部１４ｄは、ＣＡＳカードがＡＣＡＳである、と判定できる［２２］。
【００４９】
一方で、図５に示すように、ＩＮＴ（Ｂ−ＣＡＳ向け初期条件設定コマンド）を判定部１４ｄからカードホルダ１３８に挿入されたＣＡＳカードに送信し［３１］、ＣＡＳカードからの応答（返信）が正常応答であるならば、ＣＡＳカードがＢ−ＣＡＳカードである、と判定できることはもちろんである［３２］。
【００５０】
なお、図３−図５に示した例は、いずれもＣＡＳカード（モジュール）からの応答（返信）が正常応答である例である。
【００５１】
しかしながら、図６が示すように、例えばＣＡＳカードがＡＣＡＳであると想定してＢＩＮＴ（ＡＣＡＳ向け３波用初期条件設定コマンド）をＣＡＳカードに送信し［４１］、ＣＡＳカードからの応答（返信）がエラーであった場合には、非ＡＣＡＳと判定して［４２］、引き続いてＢ−ＣＡＳ向けのＩＮＴ（Ｂ−ＣＡＳ向け初期条件設定コマンド）をＣＡＳカードに送信するものであってもよい［４３］。この場合、ＣＡＳカードからの応答（返信）が正常応答であれば、ＣＡＳカードがＢ−ＣＡＳであると判定できる［４４］。
なお、ＣＡＳカードがＡＣＡＳであると想定して最初に送信するコマンドは、ＩＮＴ（ＡＣＡＳ向け高度ＢＳ／高度広帯域ＣＳ用初期条件設定コマンド）であってもよい。
【００５２】
同様に、図７が示すようにＣＡＳカードがＢ−ＣＡＳであることを想定してＩＮＴ（Ｂ−ＣＡＳ向け初期条件設定コマンド）をＣＡＳカードに送信し［５１］、ＣＡＳカードからの応答（返信）がエラーであった場合には、非Ｂ−ＣＡＳと判定して［５２］、引き続いてＡＣＡＳ向けのＢＩＮＴ（ＡＣＡＳ向け初期条件設定コマンド）をＣＡＳカードに送信するものであってもよい［５３］。なお、ＣＡＳカードがＡＣＡＳであると想定して２回めに送信するコマンドは、ＩＮＴ（ＡＣＡＳ向け高度ＢＳ／高度広帯域ＣＳ用初期条件設定コマンド）であってもよい。ここで、ＣＡＳカードからの応答（返信）が正常応答であるならば、ＣＡＳカードがＡＣＡＳである、と判定できる［５４］。
【００５３】
以下、限定受信処理部１４ｅは、判定部１４ｄの判定結果に基づいて受信設定を変更する。例えば、映像コーデックおよびまたは音声（音響）コーデックを、判定した後のＣＡＳに対応するように、設定する。
【００５４】
なお、図３−図７を用いて説明した例は、ＣＡＳ処理部１３７に１つのカードホルダ１３８が接続する場合に、ＣＡＳカード（モジュール）がＢ−ＣＡＳ（現行）であるかＡＣＡＳ（新ＣＡＳ）であるか、を判定するものである。
【００５５】
以下に、ＣＡＳ処理部１３７に、２つのカードホルダ１３８／１３８ａが接続し、それぞれのカードホルダに、ＣＡＳカードが挿入されている場合の判定例の一例を説明する。
【００５６】
カードホルダが２以上用意される場合、製造コスト等の要因から、個々のカードホルダに挿入されるべきＣＡＳカードが固定化されている場合が多い。従って、個々のカードホルダに、そのカードホルダが対応するＣＡＳカードが挿入されなければ、ＣＡＳカードが有効（読み取り不可、等の不具合を生じていないＣＡＳカード）であったとしても、そのＣＡＳカードを用いることで受信が許可される放送が受信できない恐れがある。
【００５７】
ここで、図６あるいは図７により説明したように、ＣＡＳカードの種別を想定して送信するコマンドに対するＣＡＳカードからの応答（返信）がエラーであった場合に、例えば「ＣＡＳカードを挿入すべきスロット（カードホルダ）が違います。別のスロット（カードホルダ）に差し替えてください。」等のメッセージをディスプレイ１２１に表示することができる。これにより、ユーザー（視聴者）が、ＣＡＳカードを、本来挿入すべきスロットとは異なるスロットに挿入することにより放送を受信できない、という不具合が生じることを抑止できる。
【００５８】
なお、表示するメッセージを、例えば「○○カード向けのスロットに××カードが挿入されています。○○カードを挿入してください。」あるいは「○○カード向けのスロットに○○カード以外のカードが挿入されています。○○カードを挿入してください。」等の、より具体的な内容とすることも可能である。例えば、同じ種別（規格）のＣＡＳカードを、複数所有し、いずれのスロットにも同じ種別（規格）のＣＡＳカードを挿入してしまった場合、等において、どのＣＡＳカードを差し替えるべきか、をユーザーに容易に知らせることができる。また、表示するメッセージとしては、例えば「○○スロットは、○○カード専用です。○○カードを用意してください。」等の、必要なカードを示唆する内容とすることも可能である。
【００５９】
なお、今日では、ＵＳＢ規格に準拠して用意されるＵＳＢ端子１３４を経由するさまざまな機器、例えばドングル（Dongle）と称する小型機器を介在した運用も可能である。ＡＣＡＳ（新ＣＡＳ）が、例えばＵＳＢ端子１３４と接続するドングルに内蔵されたＩＣチップ（非カード状媒体／ＣＡＳモジュール）である場合は、図８あるいは図９に一例を示すが、ＵＳＢ端子１３４とドングルとの接続を検出した場合にＣＡＳ判定を実行することが好ましい。
【００６０】
すなわち、判定部１４ｄは、図８に示すように、ＢＩＮＴ（ＡＣＡＳ向け３波用初期条件設定コマンド）をＵＳＢ端子１３４と接続したドングル（ＣＡＳモジュール）に送信する［６１］。ドングルからの応答（返信）が正常応答である場合、ＣＡＳがＡＣＡＳ対応である、と判定部１４ｄが判定する［６２］。
【００６１】
もちろん、図９が示すように、ＩＮＴ（ＡＣＡＳ向け高度ＢＳ／高度広帯域ＣＳ用初期条件設定コマンド）を、判定部１４ｄがＵＳＢ端子１３４と接続したドングルに送信してもよい［７１］。ドングルからの応答（返信）が正常応答である場合、判定部１４ｄは、ＣＡＳがＡＣＡＳ対応である、と判定できる［７２］。
【００６２】
また、ドングルが、例えばカードリーダ状に形成され、ＡＣＡＳが、例えば現行のｍｉｎｉＢ−ＣＡＳカードに類似するカード状に形成され、ＵＳＢ端子１３４と接続しているドングル（あるいはカードリーダ）に着脱可能に形成されてもよい。その場合、図８あるいは図９に示したＵＳＢ端子１３４とドングルとの接続を検出した以降、ドングルに対するＡＣＡＳの挿入があることを検出した場合に、ＣＡＳ判定を実行すればよい。なお、ドングルは、ＵＳＢ端子１３４と接続するものに限らず、例えばＣＡＳ処理部１３７と接続可能であってもよい。例えば、カードホルダ１３８ａ（もしくは１３８）がドングルの接続が可能な機構（インタフェース）に置き換えられることにより、ＣＡＳ処理部１３７との間でドングルによる利用者情報（鍵）の受け渡しが可能となる。
【００６３】
なお、ＣＡＳモジュール（カード）の種別を判定する際の基準として、ＣＡＳカード（モジュール）との最初の通信で得られるＡＴＲ応答の値を用いてもよい。すなわち、ＣＡＳモジュールの仕様において、Ｂ−ＣＡＳとＡＣＡＳのＡＴＲ応答の値がそれぞれ規定されているため、その差分を適切に判別する仕組みを適用することで、ＡＴＲ応答の値を用いてＣＡＳモジュールがＢ−ＣＡＳであるかＡＣＡＳであるかを識別できる。
【００６４】
例えば、それまで利用されていたＢ−ＣＡＳカードからのＡＴＲ応答の値とは異なるＡＴＲ応答の値であった場合は、単純にカードエラーとして処理してしまわずに、別のＣＡＳカードからのＡＴＲ応答の値である、と推定する。すなわち、ＡＴＲ応答の値がそれまでと異なる場合には、他のＣＡＳカードのＡＴＲ応答の値、例えばＡＣＡＳからのＡＴＲ応答の値と比較する。ここで、ＡＴＲ応答の値がＡＣＡＳからのＡＴＲ応答の値と一致する場合は、ＡＣＡＳであることを識別できる。
【００６５】
なお、ＣＡＳモジュールを判定することができれば、初期条件設定コマンドやＡＴＲ応答の値に限らず、他のコマンドを利用してもよい。すなわち、実施形態においては、パラメータＰ２の値によりＣＡＳモジュールの種別を判定しているが、将来的にＰ２の値以外の値が運用されることになった場合、その値を判定基準に適用してもよい。例えば、パラメータＰ１の値、等のヘッダ情報で差分を判定できる判定基準を、判定に適用してもよい。
【００６６】
また、実施形態においては、５４ｍｍ×８５ｍｍのＢ−ＣＡＳカード（現行）に対応したスロット（カードホルダ）を例に説明したが、１５ｍｍ×２５ｍｍの（いわゆる）ｍｉｎｉＢ−ＣＡＳサイズのカードに対応するスロット（カードホルダ）に適用してもよい。
【００６７】
なお、ＣＡＳモジュールの仕様の例として、赤色の３波向けのＢ−ＣＡＳとそれに類似するＡＣＡＳを例に説明したが、カードの色や、例えば商業施設向け、等のカードに紐付けられた用途は、任意である。また、ＣＡＳモジュールの仕様として、現行のＢ−ＣＡＳとＡＣＡＳとを例に説明したが、呼称や形状が異なるさまざまなＣＡＳモジュールにも適用できることはいうまでもない。例えば、実施形態においてはカード状の媒体（モジュール）を例に説明したが、テレビジョン装置１に対して着脱可能な形態で用意される任意の形態に適用できる。例えば、携帯可能な通信装置にて利用されるマイクロＳＤカード／ＳＩＭカードのようなチップ型に構成したモジュールを現行のＢ−ＣＡＳカード状のアダプタカードに装着し、アダプタカードをテレビジョン装置１に挿入するような形態に適用できる。なお、上述したＡＣＡＳ判定により、非ＣＡＳモジュールが用意されていることを判定（検出）した場合には、例えば「○○カード向けのスロットにＣＡＳモジュールが用意されていません。スロットにカード（ＣＡＳモジュール）が挿入されていることを確認してください。」等のメッセージにより、カード状の非ＣＡＳカード（例えば名刺等の異物や交通系料金システムカードもしくはクレジットカード等）が挿入されている状態についても、ユーザーに、容易に知らせることができる。
【００６８】
このように、実施形態を適用することで、受信可能な放送に対する受信許諾の条件が異なる限定受信機構（ＣＡＳ）に受信許諾情報を提供するＣＡＳモジュールの種別（規格）に拘わりなく、用意されたＣＡＳモジュールに基づいて受信可能となる放送を受信できる。すなわち、想定しているＣＡＳモジュールの種別とは異なる種別のモジュールが用意された場合であっても放送が受信できなくなるという課題は、解消できる（用意されているＣＡＳモジュールの種別（規格）による支配は受ける）。また、複数種別のＣＡＳモジュールが提供する受信許諾の条件を１つのカードホルダやＣＡＳ機構に対応するＣＡＳ処理部との間で利用者情報（鍵）の受け渡しが可能な要素（機構）あるいはインタフェースで読み取り（判定）可能となることにより、テレビジョン装置のコストを低減できる。
【００６９】
一方で、複数の専用スロットを搭載する場合においても、適切にＢ−ＣＡＳもしくはＡＣＡＳを判別することによって、ユーザーがＣＡＳモジュールを挿入したスロットがそのＣＡＳモジュールでは非対応であるような場合においても、ユーザーに対してより分かりやすい形で、ＣＡＳモジュールの差し替えが必要である、等を通知できる。
【００７０】
従って、ユーザーは、現在挿入されているＣＡＳモジュールの種別を受信装置のスロット（カードホルダ）を実際に確認せずとも、受信装置のＣＡＳモジュール確認画面により、容易に知ることができる。
【００７１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７２】
１…テレビジョン装置（電子機器／受信装置）、１３…信号処理部、１４…制御部、１４ｄ…判定部（ＣＡＳ判定部）、１４ｅ…限定受信処理部、１２１…ディスプレイ。
【図１】
2019024152.tif 000003
【図２】
2019024152.tif 000004
【図３】
2019024152.tif 000005
【図４】
2019024152.tif 000006
【図５】
2019024152.tif 000007
【図６】
2019024152.tif 000008
【図７】
2019024152.tif 000009
【図８】
2019024152.tif 000010
【図９】
2019024152.tif 000011